(57)【要約】【課題】閲覧可能なネットワーク上の多量の情報の中から関連する情報をひとまとまりにして適切な表示領域からユーザに提示する。【解決手段】ユーザが利用する情報をグループという単位で管理し、コンテンツ情報記憶手段120にユーザと利用可能なグループの関連を示す情報とあわせて、画面上の表示領域と表示可能なグループの関連を示す情報を保持することによって、表示領域に表示する情報を絞り込み、ユーザが必要とする情報を適切な表示領域からユーザに提示する。【選択図】図１
2007206780.tif 000002
【特許請求の範囲】
【請求項１】
複数のユーザに対し複数のコンテンツを前記複数のユーザの端末装置に提供するコンテンツ提供システムであって、
（１）以下の各記憶手段を含む画面提供情報記憶手段と、
（１−１）前記各ユーザと画面を関連付ける情報を記憶する画面閲覧権限情報記憶手段
（１−２）前記画面と画面内の所定の領域を関連付ける情報を記憶する画面表示領域対応情報記憶手段
（１−３）前記各ユーザと前記所定の表示領域を関連付ける情報を記憶する表示領域閲覧権限情報記憶手段
（１−４）前記所定の表示領域と個別の前記コンテンツを関連付ける情報を記憶する表示閲覧情報記憶手段
（２）以下の各記憶手段を含むコンテンツ情報記憶手段と、
（２−１）前記各ユーザと前記複数のコンテンツのうち該ユーザが利用可能な前記個別の前記コンテンツと該コンテンツにおいて該ユーザが利用可能なグループとを関連付ける情報を記憶するコンテンツ利用権限情報記憶手段
（２−２）前記画面内の表示領域と前記コンテンツにおけるグループとを関連付ける情報を記憶する表示グループ情報記憶手段
（２−３）前記グループと前記コンテンツにおいて提供される個別の単位情報とを関連付ける情報を記憶する表示情報記憶手段
（３）前記コンテンツ情報記憶手段に記憶された情報に基づいて前記コンテンツを提供するコンテンツ提供手段と、
（４）該コンテンツ提供手段から提供された前記コンテンツを、前記画面提供情報記憶手段に記憶された情報に基づいて統合した画面情報を形成し、前記端末装置に該画面情報を提示する画面提示手段と、
を備えていることを特徴とするコンテンツ提供システム。
【請求項２】
前記グループは前記ユーザが属する組織に基づいて定められたものであることを特徴とする請求項１に記載のコンテンツ提供システム。
【請求項３】
前記コンテンツの利用可否を判定するための認証情報管理手段と、前記ユーザの認証情報を記憶する認証情報記憶手段を備えている請求項１または２に記載のコンテンツ提供システム。
【請求項４】
ユーザに対し複数のコンテンツを統合して提供する方法であって、
（１）以下の情報を記憶する画面提供情報記憶ステップと、
（１−１）前記ユーザと画面を関連付ける情報
（１−２）前記画面と画面内の表示領域を関連付ける情報
（１−３）前記ユーザと前記画面内の表示領域を関連付ける情報
（１−４）前記画面内の表示領域と提供する単一のコンテンツを関連付ける情報
（２）以下の情報を記憶する閲覧情報記憶ステップと、
（２−１）前記ユーザと前記複数のコンテンツのうち該ユーザが利用可能な単一のコンテンツと該コンテンツにおいて該ユーザが利用可能なグループとを関連付ける情報
（２−２）前記画面内の表示領域と前記コンテンツにおけるグループとを関連付ける情報
（２−３）前記コンテンツにおけるグループと提供する情報を関連付ける情報
（３）前記画面提供情報記憶ステップおよび前記閲覧情報記憶ステップで記憶された情報に基づいて前記ユーザが利用する端末にコンテンツを提供するステップと、
を含むことを特徴とするコンテンツ提供方法。
【請求項５】
請求項４に記載のコンテンツ提供方法の各ステップをコンピュータに実行させるためのプログラム。
【請求項６】
請求項５に記載のプログラムを記録したコンピュータ読みとり可能な記録媒体。
【発明の詳細な説明】
【技術分野】
【０００１】
本発明は、コンテンツ提供システムおよびコンテンツ提供方法に関する。
【背景技術】
【０００２】
インターネットに代表されるコンピュータ通信ネットワークの高速化およびコンピュータの処理能力の増大により、ユーザはウェブブラウザをはじめとする情報表示ソフトウェアを利用してネットワーク上から様々な情報を取得あるいはアプリケーションを利用することができるようになった。
【０００３】
このような状況のもと、ネットワーク上から取得できる情報および利用できるアプリケーションは飛躍的に増大したが、ユーザが利用できる情報が多すぎて、ユーザにとって真に必要な情報またはコンテンツをネットワーク上から必要なときに取得するのが困難な状況も発生するようになってきた。
【０００４】
そこで「インターネットポータル」というサービスが登場した。インターネットポータルは一般的にネットワーク上の情報を検索する検索エンジンとあらかじめ決定されたジャンルに分類された情報をひとまとまりにしてユーザに提示する情報統合サービスで、ユーザがネットワーク上の情報へ容易にアクセスできることを可能としている。
【０００５】
また、その後企業情報ポータル（ＥＩＰ：Enterprise Information Portal）と呼ばれる情報統合サービスも提供されるようになった。ＥＩＰは一般的にある企業や組織の内部あるいは外部に存在する情報やアプリケーションを統合して企業または組織に属するユーザに提供し、ユーザが自分にとって必要な情報またはアプリケーションが容易に利用できることを可能にしようとするものである。
【０００６】
これら情報統合サービスでは、画面と画面内の表示領域（以後、小窓と呼ぶ）を用いて情報を統合し、提供している。まず情報表示ソフトウェアの表示領域には１つ以上の画面が用意されており、１つの画面には１つ以上の小窓が配置されている。１つの小窓には１つ以上のネットワーク上の情報、アプリケーションが対応しており、この画面と小窓の組み合わせによって情報を統合して提供している。
【０００７】
また、画面上への小窓の追加・小窓のサイズや表示する情報の変更・画面内および画面間の小窓の移動、画面からの小窓の削除、画面の追加および削除などを行うことができるため、ユーザにとって必要な情報やアプリケーションをまとめて提供することができる。
【０００８】
よく使う情報やアプリケーションの設定された小窓をはじめに表示される画面の上部に配置したり、普段あまり利用しない情報やアプリケーションの設定された小窓を画面の下部や２画面目以降に配置することによりユーザの利便性を高めることができる。
【０００９】
さらに、これら情報統合サービスにおいてユーザ個々人が必要な情報のみを提供することを目的として、ユーザが自ら情報を部分的に選択して表示する情報提供システムが提案されている。このシステムについて開示した文献として、特許文献１が存在する。
【００１０】
しかし、特許文献１で提案されている情報提供システムを利用した場合、次のような問題点が存在する。すなわち、ユーザはシステムを利用するにあたり、事前に自ら適切な情報の組み合わせを検討し、それらを選択する作業を実施しておく必要がある。
【００１１】
ネットワーク上の情報は多数存在し、それらの組み合わせを最初から検討するには多大な時間を要する。また、ユーザ自身が表示させる情報を選択する作業を行うこともユーザの情報リテラシによっては時間のかかる作業となる。これら２つの作業に要する時間はユーザの利便性と作業全体の生産性を低下させる。
【００１２】
さらに、これら２つの作業はユーザに提示する情報を変更する度に発生する。ユーザはネットワーク上の多量の情報から必要なものを選択し、自らが利用する画面や小窓に設定し直さなければならない。ネットワーク上の情報が日々増大し続ける現在の状況においてはその頻度は高いといえる。結果として、この問題点が引き起こす影響は非常に大きい。
この問題点を解決するためには、ユーザが自ら選択しなくともネットワーク上の多量の情報からユーザが必要とする情報を提供する仕組みが必要となる。
【００１３】
多量の情報からユーザが必要とする情報を提供する仕組みとして、グループウェアなどで行われている文書情報に属性を付与したうえで表示領域において絞込みを行う手法が挙げられる。しかしこの手法には次の２つの問題点が存在する。
【００１４】
まず、１点目に運用面での手間が大きいことが挙げられる。新たな絞込みの条件を付与する場合に記憶領域の設計を変更する、該当する文書の属性を全て変更するといった処理が必要になる。
【００１５】
２点目に、運用開始後に提供する情報を変更する場合、システムに対する影響が大きいことが挙げられる。以下、この問題について図を用いて説明する。図７は従来のグループウェアシステムなどで用いられているシステム構成を示したブロック図である。ユーザは端末装置730を用いて情報提供手段720にリクエストを出し、情報提供手段720は情報記憶手段710で管理している情報を端末装置730に返す。
【００１６】
この構成のシステムにおいて提供する情報を変更する場合は、情報記憶手段710に対して変更を行う必要がある。通常、運用開始後の情報提供システムに対しては、随時提供する情報の追加や修正が行われている。また、提供する情報の設定変更処理を行う場合には、短時間に大量のデータが処理されることが多い。図７に示した構成の情報提供システムでは、画面構成に関する情報とコンテンツ提供に関する情報の管理する構成要素が分かれていないため、運用開始後に提供する情報の設定を変更する場合、システムに対する影響が大きいといえる。
【特許文献１】特開2002-312391号公報
【発明の開示】
【発明が解決しようとする課題】
【００１７】
本発明の目的は、閲覧可能なネットワーク上の多量の情報の中から関連する情報をひとまとまりにして適切な表示領域からユーザに提示することが可能なコンテンツ提供システムを提供することにある。
【課題を解決するための手段】
【００１８】
上記課題を解決するために、本発明によれば、複数のユーザに対し複数のコンテンツを前記複数のユーザの端末装置に提供するコンテンツ提供システムであって、
（１）以下の各記憶手段を含む画面提供情報記憶手段と、
（１−１）前記各ユーザと画面を関連付ける情報を記憶する画面閲覧権限情報記憶手段
（１−２）前記画面と画面内の所定の領域を関連付ける情報を記憶する画面表示領域対応情報記憶手段
（１−３）前記各ユーザと前記所定の表示領域を関連付ける情報を記憶する表示領域閲覧権限情報記憶手段
（１−４）前記所定の表示領域と個別の前記コンテンツを関連付ける情報を記憶する表示閲覧情報記憶手段
（２）以下の各記憶手段を含むコンテンツ情報記憶手段と、
（２−１）前記各ユーザと前記複数のコンテンツのうち該ユーザが利用可能な前記個別の前記コンテンツと該コンテンツにおいて該ユーザが利用可能なグループとを関連付ける情報を記憶するコンテンツ利用権限情報記憶手段
（２−２）前記画面内の表示領域と前記コンテンツにおけるグループとを関連付ける情報を記憶する表示グループ情報記憶手段
（２−３）前記グループと前記コンテンツにおいて提供される個別の単位情報とを関連付ける情報を記憶する表示情報記憶手段
（３）前記コンテンツ情報記憶手段に記憶された情報に基づいて前記コンテンツを提供するコンテンツ提供手段と、
（４）該コンテンツ提供手段から提供された前記コンテンツを、前記画面提供情報記憶手段に記憶された情報に基づいて統合した画面情報を形成し、前記端末装置に該画面情報を提示する画面提示手段と、
を備えているコンテンツ提供システムが提供される。
【００１９】
また、本発明の好ましい形態によれば、前記グループは前記ユーザが属する組織に基づいて定められたものであるコンテンツ提供システムが提供される。
【００２０】
また、本発明の好ましい形態によれば、前記コンテンツの利用可否を判定するための認証情報管理手段と、前記ユーザの認証情報を記憶する認証情報記憶手段を備えているコンテンツ提供システムが提供される。
【００２１】
また、本発明の別の形態によれば、ユーザに対し複数のコンテンツを統合して提供する方法であって、
（１）以下の情報を記憶する画面提供情報記憶ステップと、
（１−１）前記ユーザと画面を関連付ける情報
（１−２）前記画面と画面内の表示領域を関連付ける情報
（１−３）前記ユーザと前記画面内の表示領域を関連付ける情報
（１−４）前記画面内の表示領域と提供する単一のコンテンツを関連付ける情報
（２）以下の情報を記憶する閲覧情報記憶ステップと、
（２−１）前記ユーザと前記複数のコンテンツのうち該ユーザが利用可能な単一のコンテンツと該コンテンツにおいて該ユーザが利用可能なグループとを関連付ける情報
（２−２）前記画面内の表示領域と前記コンテンツにおけるグループとを関連付ける情報
（２−３）前記コンテンツにおけるグループと提供する情報を関連付ける情報
（３）前記画面提供情報記憶ステップおよび前記閲覧情報記憶ステップで記憶された情報に基づいて前記ユーザが利用する端末にコンテンツを提供するステップと、
を含むコンテンツ提供方法が提供される。
【００２２】
また、本発明の別の形態によれば、前記コンテンツ提供方法の各ステップをコンピュータに実行させるためのプログラムが提供される。
【００２３】
また、本発明の別の形態によれば、前記プログラムを記録したコンピュータ読みとり可能な記録媒体が提供される。
【００２４】
本発明において「画面」とは、ユーザがコンテンツを利用するための端末装置にコンテンツを表示する領域をいう。ここでいう画面は、旧来の米マイクロソフト社のＭＳ−ＤＯＳのような単一の画面のオペレーティングシステムではコンピュータ端末のディスプレイ装置のハードウェアとしての画面とほぼ一対一に対応する。一方、米マイクロソフト社のウィンドウズ（登録商標）のようなマルチウィンドウ型のオペレーティングシステムにあっては、個々のアプリケーションの表示のための１つ１つのウィンドウであったり、そのウィンドウの中にさらに多数の小ウィンドウからなる場合（ＭＤＩ（Multiple Document Interface）方式やタブ方式）にあっては、その小ウィンドウもここでいう「画面」になることがある。多くの場合、画面は一人のユーザにつき１つ以上設定されている。複数の画面が設定されている場合、画面は一度に１つしか表示されず、ボタンなどを用いて別の画面に切り替えることが多い。本発明においては、画面に対しては、例えば、
・画面を追加する
・画面の表示される順序を変更する
・画面を削除する
といった操作を行うことができる。この操作は、画面ごとにシステムの管理者だけに許可する、一部のユーザに許可する、全てのユーザに許可するといった設定が可能であることが多い。
【００２５】
また、本発明において「所定の表示領域」とは、画面内に配置される表示領域をいい、以後「小窓」と表記することがある。画面全体を１つの小窓として使用する場合があっても良いし、画面の一部だけが小窓として設定されていても良い。上述の米マイクロソフト社のウィンドウズ（登録商標）におけるウィンドウ内の小ウィンドウがここでいう「小窓」になることもある。１つの小窓につき、1つ以上のコンテンツが設定されている。本発明においては、小窓に対しては、例えば、
・画面上に小窓を追加する
・小窓のサイズを変更する
・小窓に設定されているコンテンツを変更する
・小窓を画面内もしくは画面間で移動させる
・画面から小窓を削除する
といった操作を行うことができる。この操作についても、小窓ごとにシステムの管理者だけに許可する、一部のユーザに許可する、全てのユーザに許可するといった設定が可能であることが多い。
【００２６】
また、本発明において「コンテンツ」とは、小窓に設定されるひとまとまりの情報またはアプリケーションの単位をいう。例えばWebサーバに配置されたHTML（Hyper Text Markup Language）ファイルやWebアプリケーションを設定することができる。Webアプリケーションの例としては、電子掲示板や売上情報を表示するグラフ描画アプリケーションなどが挙げられる。本発明に係るシステムでは複数のコンテンツを統合して表示する。以下、統合するコンテンツについて「複数のコンテンツ」ということがある。
【００２７】
また、本発明において「コンテンツを統合する」とは、画面において、コンテンツを並べて表示することをいう。その際、コンテンツの表示に用いるデータの加工が必要になるとは限らない。
【００２８】
また、本発明において「グループ」とは、コンテンツにおける情報をまとめる単位のことをいう。例えばコンテンツが電子掲示板であれば企業内などの組織などが、コンテンツが売上情報に関するアプリケーションであれば品種などが対応する。
【００２９】
また、本発明において「単位情報」とは、ユーザが本発明に係るコンテンツ提供システムにおいて扱う情報の単位をいう。例えばコンテンツが電子掲示板であれば１つの記事を構成する情報、グラフ描画アプリケーションであれば１つのグラフを表示するのに必要な情報などがある。
【００３０】
また、本発明において「組織」とは、企業や団体などの内部組織をいう。組織に関する情報を管理する手法としては、組織とユーザを１対１で管理する手法、組織を木構造で管理する手法などが存在するが、本発明ではその手法を特に限定しない。
【００３１】
また、本発明において「認証情報」とは、コンテンツの利用可否を判定するのに用いるユーザに関する情報のことをいう。認証情報には、ユーザを特定する識別子（ユーザＩＤ）と対になるパスワードの組み合わせを用いることが多い。ユーザＩＤとパスワードの組み合わせに加えて、ユーザの所属する組織情報などを管理していても良い。
【００３２】
本発明において、各画面提供情報記憶手段および各コンテンツ情報記憶手段はそれぞれ、単一のサーバなどのハードウェアで構成されていても良く、複数のハードウェアで構成されていても良い。また、物理的に遠く離れた位置に分散していても良いし、単一のハードウェア上で論理的に区画されていても良い。また、両記憶手段は合わせて単一のハードウェアで構成されていても良い。
【発明の効果】
【００３３】
本発明に係るコンテンツ提供システムによれば、コンテンツ情報記憶手段にユーザと利用可能なコンテンツにおけるグループを関連付けた情報に加えて、小窓とこのコンテンツにおけるグループを関連付けた情報を格納しているので、ユーザに対し必要な情報をひとまとまりにして適切な小窓から提供することができる。
【００３４】
また、本発明に係る好ましい実施形態によれば、ユーザに対するコンテンツの表示可否について、
（１）ユーザが画面の閲覧権限をもっているか
（２）ユーザが画面内の小窓の閲覧権限をもっているか
（３）画面に小窓の表示設定がされているか
（４）小窓にコンテンツの表示設定がされているか
（５）ユーザが対象コンテンツにおいてグループの表示権限をもっているか
（６）小窓において対象グループの表示が可能か
以上６つの判定を行うことにより、ある小窓からは該当グループの情報のみを表示するという絞込み処理が可能となる。
【００３５】
例えばグループに組織情報を用いた場合、「小窓dsp001は部署１の情報のみ表示可能」という設定を行うことができる。この場合、ユーザが部署１以外の部署の情報に対して閲覧権限を有していても小窓dsp001から表示されることはない。小窓に関連付けられた情報のみを表示することでユーザにとって必要な情報を提供することができる。
【００３６】
また、本発明に係る好ましい形態によれば、情報をグループという単位でまとめたうえで小窓に関連付けているため、システムの運用を容易にすることができる。すなわち、グループの変更が発生した場合も小窓に関連付けられたグループの情報を変更するだけで対応することができるし、小窓の設定にグループに共通の変更が発生した場合でも、一度だけその小窓について変更すれば良く、例えば個々のユーザごとに変更する必要がほとんどなくなる。グループの変更には、例えばグループに組織情報を用いた場合、組織の新設、組織の統合、組織の廃止などがある。
【発明を実施するための最良の形態】
【００３７】
以下、本発明の一実施形態である、コンテンツ提供システムについて、図面を参照しながら説明する。
【００３８】
図１は、本実施形態のコンテンツ提供システムの全体構成を示すブロック図である。ユーザは端末装置150を用いて画面提示手段140にリクエストを出し、画面提示手段140は画面提供情報記憶手段110とコンテンツ情報記憶手段120で管理している情報をもとに、コンテンツ提供手段130から提供された情報を統合して端末装置150に返す。
【００３９】
ここで端末装置150として、例えばパーソナルコンピュータや携帯電話をはじめとする携帯情報端末等を利用することができる。端末装置150上で稼動するプログラムとしては、例えばHTTP(Hyper Text Transfer Protocol)プロトコル等で情報を送受信するウェブブラウザが好適に用いられる。但し、HTTPプロトコルやウェブブラウザの利用は一例であって、本発明はこれらに限定されるものではない。
【００４０】
画面提示手段140は、画面提供情報記憶手段110で管理している情報をもとに画面を構成する。画面提供情報記憶手段110では、
（１）ユーザと画面を関連付ける情報
（２）画面と小窓を関連付ける情報
（３）ユーザと小窓を関連付ける情報
（４）小窓と提供する単一のコンテンツを関連付ける情報
を管理している。
【００４１】
ここで図２Ａ〜Ｄを用いて、画面提供情報記憶手段110で管理している情報について説明する。
【００４２】
図２Ａはユーザと画面を関連付ける情報を管理するテーブルである。このテーブルは、画面閲覧権限情報記憶手段であり、以下、画面閲覧権限管理テーブル111と呼ぶ。画面閲覧権限管理テーブルでは、例えば、各ユーザとユーザが閲覧可能な画面を特定する画面識別子（以下、画面ID）とを対応付けて管理している。複数のユーザをまとめたユーザグループとこのユーザグループが閲覧可能な画面IDとを対応付けて管理することもできる。
【００４３】
図２Ｂは画面と小窓を関連付ける情報を管理するテーブルである。このテーブルは、画面表示領域対応情報記憶手段であり、以下、表示小窓管理テーブル112と呼ぶ。表示小窓管理テーブルでは、例えば、画面IDとこの画面において表示される小窓を特定する識別子（以下、小窓ID）を対応付けて管理している。
【００４４】
図２Ｃはユーザと小窓を関連付ける情報を管理するテーブルである。このテーブルは、表示領域閲覧権限情報記憶手段であり、以下、小窓閲覧権限管理テーブル113と呼ぶ。小窓閲覧権限管理テーブルでは、例えば、各ユーザとこのユーザが閲覧可能な小窓IDを対応付けて管理している。画面の場合と同様に、複数のユーザをまとめたグループとこのグループが閲覧可能な小窓IDとを対応付けて管理することもできる。
【００４５】
図２Ｄは小窓とコンテンツを関連付ける情報を管理するテーブルである。このテーブルは、表示閲覧情報記憶手段であり、以下、表示コンテンツ管理テーブル114と呼ぶ。表示コンテンツ管理テーブルでは、例えば、小窓IDとこの小窓において表示されるコンテンツの情報を対応づけて管理している。表示されるコンテンツの情報としては、ＨＴＭＬファイルやwebアプリケーションのURL（Uniform Resource Locator）などが挙げられる。
【００４６】
画面提示手段140は、図２Ｄで管理している情報をもとに多数のコンテンツ提供手段130にリクエストを出し、各コンテンツ提供手段130はコンテンツ情報記憶手段120で管理している情報をもとにコンテンツ情報を画面提示手段140に返す。コンテンツ情報記憶手段120では、
（１）ユーザと複数のコンテンツのうちこのユーザが利用可能な単一のコンテンツとこのコンテンツにおいてユーザが利用可能なグループとを関連付ける情報
（２）画面内の表示領域とコンテンツにおけるグループとを関連付ける情報
（３）コンテンツにおけるグループと提供する情報を関連付ける情報
を管理している。
【００４７】
ここで図３を用いて、コンテンツ情報記憶手段120で管理している情報について説明する。
【００４８】
図３Ａはユーザと利用可能なコンテンツとこのコンテンツにおける利用可能なグループを関連付ける情報を管理するテーブルである。このテーブルは、コンテンツ利用権限情報記憶手段であり、以下、コンテンツ利用権限管理テーブル121と呼ぶ。コンテンツ利用権限管理テーブルでは、例えば、各ユーザとこのユーザが利用可能なコンテンツにおけるグループを特定する識別子（以下、グループID）を対応付けて管理している。
【００４９】
図３Ｂは小窓とコンテンツにおけるグループを関連付ける情報を管理するテーブルである。このテーブルは、表示グループ情報記憶手段であり、以下、表示グループ管理テーブル122を呼ぶ。表示グループ管理テーブルでは、例えば、小窓IDとこの小窓において表示可能なグループIDを対応付けて管理している。
【００５０】
図３Ｃはコンテンツにおけるグループと提供するコンテンツを関連付ける情報を管理するテーブルである。このテーブルは、表示情報記憶手段であり、以下、表示情報管理テーブル123と呼ぶ。表示情報管理テーブルでは、例えば、グループIDとこのグループにおいて表示可能な情報を対応付けて管理している。図３Ｃはコンテンツが電子掲示板であり、表示可能な情報として記事を特定するための識別子（以下、記事ID）、掲載日時、掲載者、掲載記事のタイトルおよび本文などの情報を保持している場合の例である。
【００５１】
ここで図４を用いて、図２、図３で示した情報が画面提供情報記憶手段110、コンテンツ情報記憶手段120でそれぞれ管理されていた場合の画面の構成例について説明する。
【００５２】
図４Ａは、図２、図３で示した情報が画面提供情報記憶手段110、コンテンツ情報記憶手段120でそれぞれ管理されていた場合にユーザA00001が本発明のシステムを利用した場合の画面の構成例である。
【００５３】
まず、図２Ａに示した画面閲覧権限管理テーブル111に管理されている情報より、ユーザA00001は画面aおよびcを閲覧することができる。よって画面aおよびcが表示される。
【００５４】
次に、図２Ｂに示した表示小窓管理テーブル112に管理されている情報より、画面aには小窓dsp001およびdsp002を、画面cには小窓dsp003を表示することができる。また、図２Ｃに示した小窓閲覧権限管理テーブル113に管理されている情報により、ユーザA00001は小窓dsp001,dsp002およびdsp003を閲覧することができる。よって画面aには小窓dsp001およびdsp002が表示される。
【００５５】
続いて、図２Ｄに示した表示コンテンツ管理テーブル114に管理されている情報より、小窓dsp001にはコンテンツcnt001が、小窓dsp002にはコンテンツcnt002が表示される。
【００５６】
さらに、図３Ａに示したコンテンツ利用権限管理テーブル121に管理されている情報より、ユーザA00001はコンテンツcnt001においてグループ1,2および3の情報を、コンテンツcnt002においてグループ1,3,4の情報を利用することができる。また、図３Ｂに示した表示グループ管理テーブル122に管理されている情報により、小窓dsp001においてグループ1,4および5の情報を、小窓dsp002においてグループ2,3および4の情報を利用することができる。よって小窓dsp001のコンテンツcnt001においてグループ１の情報を、小窓dsp002のコンテンツcnt002においてグループ3および4の情報を利用することができる。
【００５７】
この結果、図４Ａに示したように、ユーザA00001は画面aおよびcを閲覧することができ、かつ画面aから小窓dsp001およびdsp002を閲覧することができ、かつ小窓dsp001からコンテンツcnt001におけるグループ1の情報を、小窓cnt002からコンテンツcnt002におけるグループ3および4の情報を利用することができる。
【００５８】
図４Ｂは、図２、図３で示した情報が画面提供情報記憶手段110、コンテンツ情報記憶手段120でそれぞれ管理されていた場合にユーザB00002が本発明のシステムを利用した場合の画面の構成例である。
【００５９】
まず、図２Ａに示した画面閲覧権限管理テーブル111に管理されている情報より、ユーザB00002は画面bを閲覧することができる。よって画面bが表示される。
【００６０】
次に、図２Ｂに示した表示小窓管理テーブル112に管理されている情報より、画面bには小窓dsp001およびdsp003を表示することができる。また、図２Ｃに示した小窓閲覧権限管理テーブル113に管理されている情報により、ユーザB00002は小窓dsp001およびdsp002を閲覧することができる。よって画面aには小窓dsp001のみが表示される。
【００６１】
続いて、図２Ｄに示した表示コンテンツ管理テーブル114に管理されている情報より、小窓dsp001にはコンテンツcnt001が表示される。
【００６２】
さらに、図３Ａに示したコンテンツ利用権限管理テーブル121に管理されている情報より、ユーザB00002はコンテンツcnt001においてグループ4および5の情報を利用することができる。また、図３Ｂに示した表示グループ管理テーブル122に管理されている情報により、小窓dsp001においてグループ1,4および5の情報を利用することができる。よって小窓dsp001のコンテンツcnt001においてグループ4および5の情報を利用することができる。
【００６３】
この結果、図４Ｂに示したように、ユーザB00002は画面bを閲覧することができ、かつ画面bから小窓dsp001を閲覧することができ、かつ小窓dsp001からコンテンツcnt001におけるグループ4および5の情報を利用することができる。
【００６４】
図４Ｃは、図２、図３で示した情報が画面提供情報記憶手段110、コンテンツ情報記憶手段120でそれぞれ管理されていた場合にユーザC00003が本発明のシステムを利用した場合の画面の構成例である。
【００６５】
まず、図２Ａに示した画面閲覧権限管理テーブル111に管理されている情報より、ユーザC00003は画面cを閲覧することができる。よって画面cが表示される。
【００６６】
次に、図２Ｂに示した表示小窓管理テーブル112に管理されている情報より、画面cには小窓dsp003を表示することができる。また、図２Ｃに示した小窓閲覧権限管理テーブル113に管理されている情報により、ユーザC00003は小窓dsp003を閲覧することができる。よって画面cには小窓dsp003のみが表示される。
【００６７】
続いて、図２Ｄに示した表示コンテンツ管理テーブル114に管理されている情報より、小窓dsp003にはコンテンツcnt003が表示される。
【００６８】
さらに、図３Ａに示したコンテンツ利用権限管理テーブル121に管理されている情報より、ユーザC00003はコンテンツcnt003においてグループ1および2の情報を利用することができる。しかし、図３Ｂに示した表示グループ管理テーブル122に管理されている情報により、小窓dsp003においてはグループ4および5の情報のみ利用することができる。よって小窓dsp003に情報は表示されない。
【００６９】
この結果、図４Ｃに示したように、ユーザC00002は画面cを閲覧することができ、かつ画面cから小窓dsp003を閲覧することができるが、小窓dsp003には情報は表示されない。
【００７０】
例えば、コンテンツcnt001におけるグループ１がＸ部門のＡ事業部、グループ２がＸ部門のB技術部、グループ３がＸ部門のＣ生産部であり、画面aがA事業部の画面であるとする。ここでユーザA00001がＸ部門長だとすると、Ｘ部門に属するＡ事業部、Ｂ技術部、Ｃ生産部に対応するグループ１、２、および３の閲覧権限を有している。しかし、Ａ事業部の画面である画面aからはＡ事業部の情報であるグループ１の情報しか見ることができない。
【００７１】
つまり、複数の権限を有していても、対応する画面から提供すべきでないコンテンツを見せないという設定を行うことが可能となる。このことにより、利用者にとって関連する情報だけが画面内にまとめて提示されることとなり、利用者の利用時における情報取得の負荷を軽減することにつながる。
【００７２】
以上のような仕組みにより、本発明に係るコンテンツ提供システムは小窓ごとに表示する情報を絞り込むことができる。このことにより、関連する情報をひとまとまりにして適切な表示領域からユーザに提示することができる。
【００７３】
次に、本発明に係るコンテンツ提供システムが運用の負荷を小さくする効果について、例を挙げて説明する。
【００７４】
図５は、本発明に係るコンテンツ提供システムにおいて提供する情報を変更する場合の画面例を示している。図５Ａが提供する情報を変更する前の画面の状態を、図５Ｂが提供する情報を変更した後の画面の状態をそれぞれ示している。
【００７５】
図５Ａの状態では、小窓dsp001においてグループ1の情報およびグループ2の情報を表示しており、小窓dsp002においてグループ3の情報を表示している。
【００７６】
図５Ｂの状態では、小窓dsp001においてグループ1の情報を表示しており、小窓dsp002においてグループ2の情報およびグループ3の情報を表示している。
【００７７】
図６は、図５に示した提供する情報の変更を行う場合の図１におけるコンテンツ情報記憶手段120で管理している情報の変更の例を示している。図６Ａは変更前の小窓とグループを関連付けている情報を管理しているテーブルが保持している情報の例を、図６Ｂは変更後の小窓とグループを関連付けている情報を管理しているテーブルが保持している情報の例をそれぞれ示している。
【００７８】
図５で示した変更を実施するのに必要な情報の変更は、図６で示した小窓とグループを関連付ける情報の変更のみである。本発明に係るコンテンツ提供システムが提供するこの仕組みが運用の負荷を小さくする理由について2点の理由から説明する。
【００７９】
1点目は、提供する情報の変更に際して個別のユーザに作業を強いることがないということである。図６で示した変更のみで提供する情報を一括して変更することができるため、複数のユーザに対して提供する情報の内容を変更する場合にはシステムの管理者が図６に示したような変更を行えば、各ユーザは何ら作業を行う必要なく利用する情報が変更される。
【００８０】
特にＥＩＰでは、所属するユーザが属する組織の変更に伴って複数のユーザに提供する情報の変更が頻繁に発生する。その際ユーザ個々人に作業を強いる仕組みでは、システムの本来の目的である情報の利用のための作業時間が奪われ、作業効率が低下する。本発明にかかるコンテンツ提供システムが提供する仕組みを用いれば、この問題を解決することができる。
【００８１】
２点目は、システムに与える影響が小さいという点である。図５に示した変更を行うにあたり、図１に示したシステムの構成要素の１つで管理しているテーブル1つに対して変更を行うだけでよく、その他の構成要素には影響を与えない。
【００８２】
以上２点から、本発明に係るコンテンツ提供システムを利用することにより、運用の負荷を小さくする効果が得られる。
【産業上の利用可能性】
【００８３】
本発明は、企業情報ポータルに限らず、インターネットポータルなどにも応用することができるが、その応用範囲がこれらに限られるものではない。
【図面の簡単な説明】
【００８４】
【図１】本発明の一実施形態に係るコンテンツ提供システムの全体構成を示すブロック図である。
【図２Ａ】本発明の一実施形態に係るコンテンツ提供システムの画面提供情報記憶手段に記憶される画面閲覧権限管理テーブルを示す図である。
【図２Ｂ】本発明の一実施形態に係るコンテンツ提供システムの画面提供情報記憶手段に記憶される表示小窓管理テーブルを示す図である。
【図２Ｃ】本発明の一実施形態に係るコンテンツ提供システムの画面提供情報記憶手段に記憶される小窓閲覧権限管理テーブルを示す図である。
【図２Ｄ】本発明の一実施形態に係るコンテンツ提供システムの画面提供情報記憶手段に記憶される表示コンテンツ管理テーブルを示す図である。
【図３Ａ】コンテンツ情報記憶手段に記憶されるコンテンツ利用権限管理テーブルを示す図である。
【図３Ｂ】コンテンツ情報記憶手段に記憶される表示グループ管理テーブルを示す図である。
【図３Ｃ】コンテンツ情報記憶手段に記憶される表示情報管理テーブルを示す図である。
【図４Ａ】図２および図３に示した情報をもとに本発明の一実施形態に係るコンテンツ提供システムであって、ユーザA00001が利用した場合の構成例を示す図である。
【図４Ｂ】図２および図３に示した情報をもとに本発明の一実施形態に係るコンテンツ提供システムであって、ユーザB00002が利用した場合の構成例を示す図である。
【図４Ｃ】図２および図３に示した情報をもとに本発明の一実施形態に係るコンテンツ提供システムであって、ユーザC00003が利用した場合の構成例を示す図である。
【図５Ａ】本発明の一実施形態に係るコンテンツ提供システムにおいて提供する情報の変更前の構成例を示す図である。
【図５Ｂ】本発明の一実施形態に係るコンテンツ提供システムにおいて提供する情報の変更後の構成例を示す図である。
【図６Ａ】図５で示した情報の変更を実現するための、コンテンツ情報記憶手段で管理している情報の変更前の管理情報の例を示す図である。
【図６Ｂ】図５で示した情報の変更を実現するための、コンテンツ情報記憶手段で管理している情報の変更後の管理情報の例を示す図である。
【図７】従来の技術における情報提供システムの構成を示すブロック図である。
【符号の説明】
【００８５】
１１０：  画面提供情報記憶手段
１１１：  画面閲覧権限管理テーブル
１１２：  表示小窓管理テーブル
１１３：  小窓閲覧権限管理テーブル
１１４：  表示コンテンツ管理テーブル
１２０：  コンテンツ情報記憶手段
１２１：  コンテンツ利用権限管理テーブル
１２２：  表示グループ管理テーブル
１２３：  表示情報管理テーブル
１３０：  コンテンツ提供手段
１４０：  画面提示手段
１５０：  端末装置
７１０：  情報記憶手段
７２０：  情報提供手段
７３０：  端末装置
【図１】
2007206780.tif 000003
【図２Ａ】
2007206780.tif 000004
【図２Ｂ】
2007206780.tif 000005
【図２Ｃ】
2007206780.tif 000006
【図２Ｄ】
2007206780.tif 000007
【図３Ａ】
2007206780.tif 000008
【図３Ｂ】
2007206780.tif 000009
【図３Ｃ】
2007206780.tif 000010
【図４Ａ】
2007206780.tif 000011
【図４Ｂ】
2007206780.tif 000012
【図４Ｃ】
2007206780.tif 000013
【図５Ａ】
2007206780.tif 000014
【図５Ｂ】
2007206780.tif 000015
【図６Ａ】
2007206780.tif 000016
【図６Ｂ】
2007206780.tif 000017
【図７】
2007206780.tif 000018